(57)【要約】【課題】足湯と同じように足を温めながら、ＥＭＳ装置の電極パッドを用いて膝下の下腿範囲についてＥＭＳ施術を行えるようにする。【解決手段】ボックス状の底部に熱源部材を配置した湯を用いないタイプの足温め装置の内部に、ＥＭＳ装置の電極パッドを膝下箇所に装着した足を膝下まで入れる。足を入れた状態では、足裏を熱源部材に載せて、足の甲より上方となる箇所は、熱源部材に触れることなく、足温め装置の内部の空気で覆われた状態となるので、ＥＭＳ装置の電極パッドの作動に支障が生じない。足温め装置で足を温めながら、電極パッドによりＥＭＳ施術を行うと、ユーザは何ら動かなくても、有酸素運動を行いながら筋力トレーニングを行うことと同等の状況が得られる。【選択図】図１
2019043824.tif 000002
【特許請求の範囲】
【請求項１】
人体に電気式の施術体を装着して人体の施術を行う人体施術方法において、
椅子に腰掛けた人体の膝から足首までの下腿範囲における箇所に前記施術体を装着した膝下部位を、ボックス状の足温め装置の内部に入れるステップと、
前記足温め装置の内部に入れた膝下部位を、前記足温め装置で温めながら、前記施術体により施術を行うステップと
を備え、
前記足温め装置は、ボックス状の底部に熱源部材を配置し、
前記足温め装置の内部に入れた膝下部位は、前記熱源部材に足裏を載せて、足の甲より上方となる範囲が、前記熱源部材に触れることなく、前記足温め装置の内部の空気で覆われることを特徴とする人体施術方法。
【請求項２】
前記施術体は、電気的筋肉刺激装置のパッドである請求項１に記載の人体施術方法。
【請求項３】
前記熱源部材は、ラジウム放射能を放射する固形体を含む請求項１又は請求項２に記載の人体施術方法。
【請求項４】
前記熱源部材は、ラジウム放射能を放射する固形体、及び前記固形体の上に配置された岩又は石を含む請求項１又は請求項２に記載の人体施術方法。
【請求項５】
前記熱源部材は、パネル状の電熱ヒータと、ラジウム放射能を放射するボール状又は石状の複数の固有体と、前記固有体より大きい寸法の複数の玄武岩を含み、
前記複数の固有体は、前記電熱ヒータの上に配置してあり、
前記複数の玄武岩は、前記複数の固有体の上に積み重ねてある請求項１又は請求項２に記載の人体施術方法。
【請求項６】
前記複数の固有体が７０〜９０℃の範囲の温度になり、前記複数の玄武岩が４０〜５０℃の範囲の温度となるように、前記電熱ヒータの温度を設定する請求項５に記載の人体施術方法。
【請求項７】
人体について三次元測定を行うステップと、
三次元測定により、人体の下腿範囲で最大周囲長となる箇所を特定するステップと、
特定した下腿範囲の最大周囲長となる箇所に前記施術体を装着するステップと
を備える請求項１乃至請求項６に記載の人体施術方法。
【請求項８】
前記施術体による施術の終了後に、人体の体幹の指圧又はストレッチを行うステップを備える請求項１乃至請求項７に記載の人体施術方法。
【請求項９】
人体に電気式の施術体を装着して人体の施術を行う人体施術システムにおいて、
腰掛け用の椅子と、
ボックス状の底部に熱源部材を配置した足温め装置と
を備え、
前記施術体は、人体の膝から足首までの下腿範囲における箇所に前記施術体を装着するようにしてあり、
前記椅子は、その椅子に腰掛けた人体の前記設術体を装着した膝下部位を前記足温め装置の内部に入れられるように、前記足温め装置の側方に設置してあり、
前記足温め装置は、内部に入れた膝下部位の足裏を前記熱源部材に載せられるようにしてあると共に、内部に入れた膝下部位の足の甲より上方となる範囲が前記熱源部材に触れることなく、前記足温め装置の内部の空気で覆われるようにしてあることを特徴とする人体施術システム。
【発明の詳細な説明】
【技術分野】
【０００１】
本発明は、電気式の施術体を装着して人体の施術を行うものであり、特に、足湯に付けた状態と同等の状況で足を温めながら、膝下部位に装着可能な施術体で施術を行えるようにした人体施術方法、及び人体施術システムに関する。
【背景技術】
【０００２】
従来から、人体に施術を行う装置として様々なものが存在する。例えば、下記の特許文献１では、複数の振動発生部を内蔵したイス型のマッサージ装置に座りながら人体を施術すると同時に、足裏用振動発生部を備えた足湯の浴槽に膝下部位を入れて、足湯を行いながら足裏用振動発生部で足裏のマッサージ（施術）を行うことが開示される。また、この特許文献１の段落００７２には、帯や腹巻、ベルトのような人体に装着できる部材に、振動発生部を設けて施術（マッサージ）を行っても良い旨が記されている。【０００３】
人体に装着して施術を行う種類の装置としては、上述した振動を発生するタイプの他に、下記の特許文献２に示すように、電気的筋肉刺激装置（ＥＭＳ機器：Electric Muscle Stimulation）のパッド（電極パッド）を人体に装着するものがある（特許文献２の図１６に示す電極パッド１１、及び図１７、１８に示すパッドの装着箇所などを参照）。なお、特許文献２に係る発明では、ＥＭＳ機器による施術の段階（特許文献２の図１に示すボディライン引き締め工程）の前に、全身温め工程を入れており、それにより、ユーザの全身を温めてから、ＥＭＳ機器による施術を行っている。【０００４】
また、湯を用いないで、足湯と同等の効能を狙った装置としては、下記の特許文献３〜５で開示されるものがある。特許文献３は、湯の替わりに、加温により遠赤外線を放射する複数の蓄熱粒体を浴槽本体に収納し、浴槽本体に挿入した足を蓄熱粒体の中に埋めて足を温めるようにしている（特許文献３の図４（ｂ）等参照）。また、特許文献４は、湯の替わりに、セラミックボールのような蓄熱部材を容器本体に収納し、容器本体に入れた足を蓄熱部材の間に挿入して足を温める（特許文献４の図２等参照）。さらに、特許文献５は、容器の側壁及び底面に発熱体を設けると共に、底面に蓄熱マットを敷設し、容器内に断熱性小片（カラーボール）を充填し、これら小片の中に足を埋めて温める。
【先行技術文献】
【特許文献】
【０００５】
【特許文献１】特開２０１５−１５７００４号公報
【特許文献２】特開２００８−１７３２３１号公報
【特許文献３】実用新案登録第３１５０９４４号公報
【特許文献４】実用新案登録第３１３５３２４号公報
【特許文献５】特開２００８−２８４０４０号公報
【発明の概要】
【発明が解決しようとする課題】
【０００６】
人体に施術を行う際、人体を温めた方が通常、その施術による効果が高まる。そのため、足（例えば、膝下部位）に施術を行う場合も、その施術の対象となる部位を温めながら施術を行うことが望ましい。足の膝下部位を温める方法としては、上記の特許文献１に示すように、足湯を用いることが一般的である。しかし、足湯は湯を用いるため、人体に装着できる施術用の部材（特許文献１に記された振動発生部を設けた部材、特許文献２で開示されるＥＭＳ機器の電極パッドなど）を足湯に入れると、湯に濡れてしまい、適切に使うことができない。そのため、足湯と併用できる施術の装置としては、特許文献１に示すような足裏用振動発生を行うものに限られてしまうという問題がある。【０００７】
一方、湯を用いないで、足湯と同等の効能を狙った装置としては、上記の特許文献３〜５に示す装置が存在する。しかし、特許文献３の装置では、浴槽本体に収納した蓄熱粒体の中に足を埋める必要があるので、先ず、蓄熱粒体の中に足を潜り込ませて埋まった状態にするのに手間がかかる問題がある。また、蓄熱粒体に埋まった足の箇所に施術用の部材を装着して使用することは、施術用の部材が蓄熱粒体による熱の影響を直接的に受けるため好ましくないという問題があり、また、ふくらはぎ部分のような蓄熱粒体に埋まっていない膝下箇所に施術用の部材を装着して使用する場合は、特許文献３の図４（ｂ）に示すように、ふくらはぎ部分は、浴槽本体より外方に出ているので、そもそも温めながら施術を行う効果が得られにくいという問題がある。【０００８】
特許文献３の装置に係る上記の問題は、特許文献４の装置にも同様にあてはまる。すなわち、特許文献４の図２に示すように、ボール状の蓄熱部材の中に足を埋まった状態にするのに手間がかかり、蓄熱部材に埋まった中で、施術用の部材を使用するのは好ましくなく、蓄熱部材に埋まっていない箇所で施術用の部材を装着して使用する場合は、温めながら施術を行う効果が得られにくい。【０００９】
そして、特許文献５に係る装置は、特許文献５の図２、３等に示す様に、容器の内部に、膝より下方の足部分が入るほどの深さの容器に、カラーボールを収納しているので、足裏が容器の底に着くように足を入れるのに手間を要する問題があり、また、カラーボールは、ほぼ膝下の部位まで容器に収納されていることから、カラーボールに埋まった足に施術用の部材を装着して使用すると、カラーボールによる熱の影響を施術用の部材が直接的に受けるので、好ましくない状況となる。【００１０】
また、施術用の部材を人体に装着する対象となる箇所は、特許文献２の図１７、１８で示すように、概要的には知られている。しかし、施術対象となる人体は、骨格各部の寸法、筋肉の付き方、脂肪の付き方は、それぞれ個々に異なることから、例えば、最も太い箇所を施術で効率的に引き締めたいというユーザの希望があっても、そのような個別的な希望についてピンポイント的に対応しにくいという問題もある。【００１１】
本発明は、斯かる事情に鑑みてなされたものであり、膝下部位を温めながら施術を行えるようにすることを重視して、施術用の部材（施術体）を装着した膝下部位を入れられるボックス状の足温め装置の底部に熱源部材を配置し、この熱源部材で足裏から膝下部位を温めて、熱源部材の熱による影響が施術体へ直接に及ばないようにした人体施術方法、及び人体施術システムを提供することを目的とする。【００１２】
また、本発明は、施術対象の人体について三次元測定を行うことで、膝下部位で最も太い箇所を特定し、その特定した箇所に施術体を装着することで、最も太い箇所を効率的に施術できるようにした人体施術方法、及び人体施術システムを提供することを目的とする。
【課題を解決するための手段】
【００１３】
上記課題を解決するために本発明は、人体に電気式の施術体を装着して人体の施術を行う人体施術方法において、椅子に腰掛けた人体の膝から足首までの下腿範囲における箇所に前記施術体を装着した膝下部位を、ボックス状の足温め装置の内部に入れるステップと、前記足温め装置の内部に入れた膝下部位を、前記足温め装置で温めながら、前記施術体により施術を行うステップとを備え、前記足温め装置は、ボックス状の底部に熱源部材を配置し、前記足温め装置の内部に入れた膝下部位は、前記熱源部材に足裏を載せて、足の甲より上方となる範囲は、前記熱源部材に触れることなく、前記足温め装置の内部の空気で覆われることを特徴とする。【００１４】
また、本発明は、前記施術体が、電気的筋肉刺激装置のパッドであることを特徴とする。
さらに、本発明は、前記熱源部材が、ラジウム放射能を放射する固形体を含むことを特徴とする。
さらにまた、本発明は、前記熱源部材が、ラジウム放射能を放射する固形体、及び前記固形体の上に配置された岩又は石を含むことを特徴とする。【００１５】
本発明は、前記熱源部材が、パネル状の電熱ヒータと、ラジウム放射能を放射するボール状又は石状の複数の固有体と、前記固有体より大きい寸法の複数の玄武岩を含み、前記複数の固有体は、前記電熱ヒータの上に配置してあり、前記複数の玄武岩は、前記複数の固有体の上に積み重ねてあることを特徴とする。
また、本発明は、前記複数の固有体が７０〜９０℃の範囲の温度になり、前記複数の玄武岩が４０〜５０℃の範囲の温度となるように、前記電熱ヒータの温度を設定することを特徴とする。【００１６】
本発明は、人体について三次元測定を行うステップと、三次元測定により、人体の下腿範囲で最大周囲長となる箇所を特定するステップと、特定した下腿範囲の最大周囲長となる箇所に前記施術体を装着するステップとを備えることを特徴とする。
また、本発明は、前記施術体による施術の終了後に、人体の体幹の指圧又はストレッチを行うステップを備えることを特徴とする。【００１７】
本発明は、人体に電気式の施術体を装着して人体の施術を行う人体施術システムにおいて、腰掛け用の椅子と、ボックス状の底部に熱源部材を配置した足温め装置とを備え、前記施術体は、人体の膝から足首までの下腿範囲における箇所に前記施術体を装着するようにしてあり、前記椅子は、その椅子に腰掛けた人体の前記設術体を装着した膝下部位を前記足温め装置の内部に入れられるように、前記足温め装置の側方に設置してあり、前記足温め装置は、内部に入れた膝下部位の足裏を前記熱源部材に載せられるようにしてあると共に、内部に入れた膝下部位の足の甲より上方となる範囲が前記熱源部材に触れることなく、前記足温め装置の内部の空気で覆われるようにしてあることを特徴とする。【００１８】
本発明にあっては、ボックス状の底部に熱源部材を配置した足温め装置の内部に、椅子に腰掛けた人体が、下腿範囲内の箇所に施術体を装着した膝下部位を入れるにあたり、熱源部材の上に足裏を載せて、足の甲より上方は熱源部材に触れることなく、足温め装置の内部の空気で覆われるようにしたので、膝下部位に装着した施術体は、熱源部材による熱の影響を直接受けることがなくなり、それにより、膝下部位を温めながら施術体で施術を行えるようになり、施術による効果を高められる。なお、ボックス状の足温め装置は、下腿範囲の箇所に装着した施術体も、足温め装置の内部に入るように、充分な内部深さを有するようにしている。【００１９】
本発明にあっては、下腿範囲の箇所に装着した施術体を、電気的筋肉刺激装置（ＥＭＳ機器）のパッドにしたので、施術体による施術の中身は、筋肉を電気的に刺激して動かすものとなる。ＥＭＳ機器による施術は、施術を受ける者が動かなくても、電気的な刺激により筋肉が勝手に動くので、人体の脳は運動を行ったと錯覚し、動的に筋力トレーニングを行ったことと同等の効果が得られる。また、人体（本発明では人体の下腿範囲）を温めることは、有酸素運動を行ったことと同等のものとなり、脂肪を燃焼しやすい状況が得られる。そのため、足温め装置で温めながら、電気的筋肉刺激装置のパッドで施術を行うと、何ら体を動かさなくても、有酸素運動を行いながら、筋力トレーニングを行う状況を確保でき、脂肪を燃焼しながら体を引き締める施術を、特許文献２に係る発明に比べて、時間的に効率良く行うことが可能となる。【００２０】
本発明にあっては、ラジウム放射能を放射する固形体を熱源部材が含むようにしたので、熱源部材が含む固有体により、体の芯からポカポカと温かくなり、足裏を熱源部材に載せて温める方式であっても、足温め装置にいれた下腿の範囲を通じて，全身を温められるようになる。【００２１】
本発明にあっては、熱源部材を、ラジウム放射能を放射する固有体の上に岩又は石を配置するものにしたので、ラジウム放射能を放射する固有体と、人体の足裏との間に、岩又は石が介在することになるので、固有体による足の温め具合を、岩又は石で調整できるようになり、適度な温め状態を確保するのに好適となる。熱源部材に含ませる岩又は石としては、岩のみ、石のみ、又は岩と石の混合したもののいずれを用いても良く、このような岩又は石の表面は、ザラザラなもの、又は滑らかにしたもののいずれも利用できる。表面がザラザラである場合は、足裏に適度な刺激を与えることができ、一方、表面が滑らかな場合は、足裏にツルリとした穏やかな感覚を与えることができる。【００２２】
本発明にあっては、電熱ヒータの上に、ラジウム放射能を放射するボール状又は石状の複数の固有体を配置し、さらに複数の固有体の上に、固有体より大きい寸法の複数の玄武岩を積み重ねて熱源部材を構成するようにしたので、まず、電熱ヒータにより温度調整が容易となり、また、ラジウム放射能を放射する固有体をボール状又は石状にしたので、電熱ヒータの上に複数の固有体を敷き詰めやすくなって、電熱ヒータの発生する熱を複数の固有体へスムーズに伝えやすくなる。そして、複数の固有体の上に、複数の玄武岩を積み重ねたので、玄武岩は固有体により温められて、いわゆるホットストーンとして機能するにようになる。そのため、固有体から放射されるラジウム放射能による温め効果と、ホットストーンとして足の裏に触れて直接的に足を温める効果が相まって、施術体による施術中に、足をほどよく温められるにようなる。また、玄武岩を、固有体より大きい寸法にしたので、固有体の上に積み重ねた玄武岩が、固有体と混ざり合って、積層状態が崩れることを防止できる。【００２３】
本発明にあっては、複数の固有体の７０〜９０℃の範囲の温度で、複数の玄武岩が４０〜５０℃の範囲の温度となるように、電熱ヒータの温度を設定するので、固有体はラジウム放射能を放射するのに適した範囲に温度を確保でき、足裏が触れる最上部の玄武岩は、一般的な足湯と同等の温度を確保でき、足を温めるのに最適な状況を提供できるようになる。【００２４】
本発明にあっては、施術体を装着する前に、人体の三次元測定を行って、下腿範囲で最も太い箇所（最大周囲長となる箇所）を特定し、その特定した最も太い箇所に施術体を装着して施術を行うので、最も引き締め効果の出やすい箇所に絞ったピンポイント的な施術が可能となる。すなわち、下腿範囲で最も太い箇所は、筋肉量も多く、又は脂肪量も多いことから、施術体による施術で筋肉の引き締めを行う量も多くなると共に、足温め装置により脂肪燃焼を行う量も多くなるので、下腿範囲において足を細くするという目的に対して、最も効率的な施術が可能となる。【００２５】
本発明にあっては、施術が終了すると、人体の体幹の指圧（マッサージ）又はストレッチを行うので、施術体による施術及び足温め装置による人体の温めにより、温まった状態の体幹に対して指圧又はストレッチを行えるようになり、温まっていない状態の通常の指圧又はストレッチに比べて、その効果を高められる。
【発明の効果】
【００２６】
本発明では、膝下部位に装着した施術体が、熱源部材による熱の影響を直接受けることを防止できるので、膝下部位を温めながら施術体で施術を行うことが可能となり、施術体による施術の効果を向上できる。
また、本発明では、施術体を、電気的筋肉刺激装置（ＥＭＳ機器）のパッドにするので、何ら体を動かさなくても、足温め装置による有酸素運動を行いながら、筋力トレーニングを行う状況を確保でき、脂肪を燃焼しながら体を引き締める施術を効率良く行うことができ、体を動かすことを希望しないユーザ、又は、怪我や病気などで体を動かすことが困難なユーザに対して、有酸素運動及び筋力トレーニングを行ったときと同等の状況を提供でき、特に後者のユーザについてはリハビリ的な用途にも適用できる。【００２７】
本発明では、ラジウム放射能を放射する固形体を熱源部材が含むようにしたので、足裏を熱源部材に載せて温める方式であっても、熱源部材が含む固有体により、体の芯からポカポカと温めることができる。
また、本発明では、熱源部材を、ラジウム放射能を放射する固有体の上に岩又は石を配置するものにしたので、ラジウム放射能を放射する固有体による足の温め具合を、岩又は石で調整でき、適度な温め状態を確保できる。【００２８】
本発明では、固有体から放射されるラジウム放射能による温めに加えて、ホットストーンとして機能する玄武岩により直接的に足を温めることができ、このような適度の温め状態をパネル状の電熱ヒータの設定により維持でき、さらには、玄武岩を固有体より大きくしたので、複数の固有体の上に複数の玄武岩を積み重ねた状態を維持できる。【００２９】
本発明にあっては、人体を三次元測定器で測定して下腿範囲で最も太い箇所を特定し、その特定した最も太い箇所に施術体を装着して施術を行うので、最も引き締め効果の出やすい箇所に絞った施術を行うことができる。
また、本発明にあっては、温めながらの施術を終えると、人体の体幹の指圧又はマッサージを行うので、施術体による施術及び足温め装置による温めにより、温まった状態の体幹に対して指圧又はマッサージを行えるようになり、通常の指圧又はマッサージにくらべて、その効果を高められる。
【図面の簡単な説明】
【００３０】
【図１】本発明の実施形態に係る人体施術方法の一連の処理内容を示すフローチャートである。
【図２】本発明の実施形態に係る人体施術システムの概要を示す概略図である。
【図３】人体施術システムに含まれる三次元人体測定システムの概要を示す概略図である。
【図４】測定処理装置の主要な内部構成を示すブロック図である。
【図５】人体モデル提供装置を構成するサーバ装置の主要な内部構成を示すブロック図である。
【図６】会員データベースの中身の一例を示す図表である。
【図７】人体モデルテーブルの中身の一部を示す図表である。
【図８】（ａ）は撮像画像モデルを正面から見た場合の概略図、（ｂ）は最大周囲長の位置を示すマークを付した撮像画像モデルを横から見た場合の概略図である。
【図９】下肢の部位に関する名称を記した概略図である。
【図１０】ＥＭＳ装置の概要を示すブロック図である。
【図１１】椅子及び足温め装置の外観を示す斜視図である。
【図１２】椅子及び足温め装置の配置を示す平面図である。
【図１３】図１２のＡ−Ａ線における足温め装置の概略的な断面図である。
【図１４】（ａ）は固有体、（ｂ）は玄武岩を示す概略図である。
【図１５】体幹施術装置の概要を示す概略図である。
【発明を実施するための形態】
【００３１】
図１は、本実施形態に係る人体施術方法の一連の処理手順の概要を示すフローチャートである。本発明の人体施術方法は、ユーザが特に動的なトレーニングを行わなくても、座っているだけで、有酸素運動を行いながら筋力トレーニングを行ったことと同等の効果が得られる施術方法になっており、施術の中心となるのは、図１に示すフローチャートの中のＳ５の段階における「足を温めながらＥＭＳ施術」という処理内容（施術内容）であり、足温め装置で足を温めながら、電気的筋肉刺激装置（ＥＭＳ装置：Electric Muscle Stimulation）でＥＭＳ施術（Electric Muscle Stimulation施術）を行うことになる。
【００３２】
上記のＳ５より前のＳ１〜Ｓ４の段階が、準備段階の処理内容となり、Ｓ５より後のＳ６の段階が、クールダウン（整理体操）的な処理内容となる。本実施形態では、Ｓ５の段階におけるＥＭＳ施術による筋力トレーニングと同等の効果による引き締め成果を最大限に得られるようにするため、ＥＭＳ装置のパッド（電気式の施術体）の人体に装着する箇所を、三次元測定により特定する。
【００３３】
すなわち、施術を受けるユーザ（人体）に対して三次元測定を行い（Ｓ１）、膝下部位（下腿範囲）の中で、最大周囲長の箇所を特定する（Ｓ２）。そして、その特定した箇所にＥＭＳ装置のパッドの中心が一致するようにパッドを装着し（Ｓ３）、予め適温にしたボックス状の足温め装置に、パッドを装着した膝下部位を入れる（Ｓ４）。なお、Ｓ３の段階のパッドの装着は、座った状態又は立った状態のいずれで行っても良いが、Ｓ４の段階の足温め装置への足入れは座った状態で行うことになる。
【００３４】
そして、Ｓ５の段階で、足温め装置により人体（膝下部位）を温めながら、ＥＭＳ装置を作動させて、ＥＭＳ施術を行う。このように本発明では、温めながら、ＥＭＳ施術を行うので、先に温めてから、ＥＭＳ施術を行う場合に比べて、トータルの施術時間を短縮できる。なお、Ｓ５の段階のＥＭＳ施術は、１５〜４５分程度の時間範囲で行うが、通常は２０〜３０分程度が好適である。また、Ｓ５の段階のＥＭＳ施術も、座った状態で行うことから、一般的な寝た状態で行うことが多いＥＭＳ施術に比べて専有面積の削減を図れる。
【００３５】
クールダウンの段階となるＳ６は、上記のＳ５の段階の後で行うことになり、上述したＳ５の段階の施術内容により、全身の血行が良くなって、直接的に温めていない体幹部分も、施術前の状態より体温が上がっていることから、温まった状態の体幹部分に対して指圧又はストレッチを行うことになり、体のほぐし又は伸ばしの効果は、温まっていない状態で指圧又はストレッチを行う場合に比べて向上するので、効率的な指圧又はストレッチを行える。
【００３６】
図２は、図１のフローチャートに示す人体施術方法を行うための人体施術システム１の全体的な構成を示す。人体施術システム１は、三次元人体測定システム５、ＥＭＳ装置２、椅子４、足温め装置５０、及び体幹施術装置６０を含んだものになっている。以下、人体施術システム１が含む装置等を順次説明し、図１に示したフローチャートの各段階（Ｓ１〜６）の内容の詳細を説明する。
【００３７】
図３は、人体施術システム１に含まれる三次元人体測定システム５の概要を示す。本実施形態の人体施術システム１で用いる三次元人体測定システム５は、ユーザ（人体）の三次元測定を行って、ユーザの身長、及び各部位の寸法値を測定することに加えて、体組成計１１による測定も併用して、ユーザの各部位の筋肉量、脂肪量も測定し、これらの測定結果を用いて、ユーザに応じた三次元の人体モデルを提示可能にしている。なお、人体モデルとしては、ユーザの骨格に示す骨格モデル、ユーザの脂肪を示す脂肪モデル、ユーザの筋肉を示す筋肉モデル、ユーザの外観を示す撮像画像モデルがある。
【００３８】
この三次元人体測定システム５は、人体測定装置１０を、ネットワークＮＷを介して人体モデル提供装置４０と接続したものとなっており、人体モデル提供装置４０は、人体測定装置１０から送られる被験者Ｈ（ユーザ）の身体的な測定結果を取得して、その取得した測定結果に応じた形態の人体モデルを提供する。ユーザである被験者Ｈ等は、測定後、通信端末７を用いて、人体モデル提供装置４０が提供する人体モデルを確認可能になっている。なお、通信端末７として、図３では通信機能を示すタブレットを示すが、タブレット以外にも、スマートフォンのような携帯通信端末、又は通信機能を有するパソコン（ノート型パソコン、デスクトップ型パソコン等）も使用できる。
【００３９】
被験者Ｈであるユーザを測定する人体測定装置１０は、体組成計１１及び三次元測定器２０を組み合わせて所要の身体的な測定を行い、測定されたデータを測定処理装置３０で処理する。本実施形態では、三次元人体測定システム５の利用には、会員登録を必要にしており、会員登録するには、ユーザの氏名、ニックネーム、パスワード、メールアドレス等を、三次元人体測定システム５の利用を管理する事業体に提出することになり、事業体は、会員登録をしたユーザについて、ユーザを識別するユーザＩＤを発行する。会員登録したユーザの情報及びユーザの測定結果等は、人体モデル提供装置４０が有する会員データベース４１に蓄積される。
【００４０】
三次元人体測定システム５の中の人体測定装置１０が有する体組成計１１は、ユーザ（被験者Ｈ）の人体について、体全体に対する測定と、特定部位に対する測定を行う。体全体に対する身体的な測定項目としては、体重、体脂肪率、脂肪量、筋肉量、体水分量等があり、特定部位に対する身体的な測定項目としては、体脂肪率、筋肉量、脂肪量等がある。測定対象となる特定部位は、左腕、右腕、体幹部、左脚、右脚であり、体幹部（胴体部）における脂肪の測定については、内臓脂肪の測定と、皮下脂肪の測定を含み、残りの四肢（左右腕、左右脚）については皮下脂肪を測定する。
【００４１】
体組成計１１は、図１に示すように、被験者Ｈが載る台状の本体部１２並びに被験者Ｈの両手で把持される左グリップ部１３ａ及び右グリップ部１３ｂを具備し、本体部１２と、左グリップ部１３ａ及び右グリップ部１３ｂは、左右接続線１４ａ、１４ｂで接続される。本体部１２の上面の被験者Ｈの載置箇所には、被験者Ｈの足裏と接触する測定電極部を設けられており、同様に、左右グリップ部１３ａ、１３ｂの表面にも測定電極部が設けられている。また体組成計１１は、本体部１２を、第１接続線１５により測定処理装置３０と接続する。
【００４２】
体組成計１１は、第１接続線１５を介して測定処理装置３０から送られてくる測定開始指示が本体部１２に入力されると、上述した各項目の測定を行い、測定した数値等を含む測定結果を、第１接続線１５を介して、本体部１２から測定処理装置３０へ送る。
【００４３】
一方、人体測定装置１０が有する三次元測定器２０は、測定対象物の三次元データ（ＯＢＪデータ）の測定が可能なものであり、計三本の柱状部２１、２２、２３を有する。これら三本の柱状部２１、２２、２３は、上述した体組成計１１の本体部１２の周囲を、平面視で三角形を構成するように、三角形の各頂点となる位置にそれぞれ配置され、体組成計１１による測定と同期して三次元測定を行う。各柱状部２１、２２、２３は複数のレーザ光出射部２１ａ、２２ａ、２３ａ及び走査状況取得部２１ｂ、２２ｂ、２３ｂを具備し、各レーザ光出射部２１ａ、２２ａ、２３ａからレーザ光を出射して測定対象物を走査すると共に、走査した状況を走査状況取得部２１ｂ、２２ｂ、２３ｂで撮像して検知する。三次元測定器２０は、各柱状部２１、２２、２３を、三次元測定用接続線２４ａ、２４ｂ、２４ｃで測定処理装置３０と接続している。
【００４４】
三次元測定器２０は、三次元測定用接続線２４ａ、２４ｂ、２４ｃを介して測定処理装置３０から送られてくる測定開始指示が、各柱状部２１、２２、２３へ入力されると、各柱状部２１、２２、２３の各レーザ光出射部２１ａ、２２ａ、２３ａからレーザ光を出射して測定を開始し、測定開始から約２秒でレーザ光の走査状況の検知測定を完了し、測定した数値を含む測定結果（ＯＢＪデータ）を、測定処理装置３０へ送る。
【００４５】
測定処理装置３０では、三次元測定器２０から送られてきた数値結果（ＯＢＪデータ、人体の各部の位置に関する情報）に基づき測定対象物に関する各種寸法値を算出する。被験者Ｈという人体を測定対象にするときは、人体の身長に加えて、人体の特定部位である各腕についての長さ（袖丈の長さ）、手首の周囲長及び腕の周囲長（最大周囲長）、体幹部の長さ（座高）、ウエストの周囲長、胸囲の周囲長、及び臀部の周囲長、各脚についての長さ（股下の長さ）、足首の周囲長、膝下部位（下腿範囲）の周囲長（最大周囲長）、及び太ももの周囲長（最大周囲長）等と云った被験者Ｈの体格に係る項目を測定（算出）する。なお、図３に示すように、被験者Ｈは測定時に足を開くので、足を開いた分、実際の身長より測定値が小さくなるので、身長については、測定処理装置３０において所定の比率を乗じて、自動補正を行う。
【００４６】
上述した三本の柱状部２１、２２、２３を三角形の各頂点に配置して三次元測定する方法は、三角測量の原理を用いた公知の三次元距離計測手法（三角測量の原理）により、レーザ光出射部２１ａ、２２ａ、２３ａから出射するレーザ光で測定対象物の表面を走査し、その走査状況を、走査状況取得部２１ｂ、２２ｂ、２３ｂで撮像して、柱状部２１、２２、２３を三角形の位置と、走査状況取得部２１ｂ、２２ｂ、２３ｂで撮像した画像におけるレーザ光の走査位置のポイント等との関係に基づき、測定対象物の各表面のポイント（表面をメッシュにした交点）を三次元座標上（水平面の一方向に応じたＸ軸、水平面においてＸ軸と直交する方向に応じたＹ軸、Ｘ軸及びＹ軸に直交する垂直方向に応じたＺ軸で構成される座標）に展開した位置を求めることになる。
【００４７】
三次元測定器２０は、人体（被験者Ｈ）を三次元測定する場合、人体の表面上の約３万のポイントについての位置を三次元座標値の数値で求めており、これら三次元測定される各ポイントは、それぞれを識別できるように番号が付されており（１番目のポイント〜約３万番目のポイントが存在する）、各番号と三次元座標値が対応づけたものが測定結果（ＯＢＪデータ）に含まれる。なお、三次元座標値に係る三次元座標系を構成するＸ、Ｙ、Ｚ軸について、本実施形態では図３に示すように、Ｘ軸方向を人体の幅方向に一致させており、Ｙ軸方向を人体の身長方向に一致させており、Ｚ軸方向を人体の厚み方向に一致させている。そのため、例えば人体を正面から見た場合、主にＸＹ座標系で表現されることになり、人体を横方向から見た場合、主にＹＺ座標系で表現される。
【００４８】
図４は、測定処理装置３０の主要構成を示したブロック図である。本実施形態の測定処理装置３０としては、各測定器１１、２０との接続機能、及びネットワークＮＷを介した通信機能等を具備したコンピュータを用いており、図４は、そのコンピュータを用いた場合の構成を示している。測定処理装置３０は、全体的な制御及び各種処理を行うＣＰＵ３０ａに、各種デバイス等を内部接続線３０ｈで接続したものになっており、各種デバイス等には、外部機器接続部３０ｂ、通信部３０ｃ、ＲＯＭ３０ｄ、ＲＡＭ３０ｅ、表示入出力インタフェース３０ｆ、及び記憶部３０ｇ等がある。
【００４９】
外部機器接続部３０ｂは、各種規格（例えば、ＩＥＥＥ系などの規格）に準じた双方向で各種信号、情報等を送ることが可能な接続インタフェース（例えば、ＵＳＢ系のシリアルインタフェース）であり、各測定器１１、２０と接続して、各測定器１１、２０の測定結果を取得すると共に、各測定器１１、２０への測定開始指示を送る。通信部３０ｃは、ネットワークＮＷとの接続通信デバイスであり（例えばＬＡＮモジュール）、通信線Ｌ及び所要の通信機器（図示は省略。例えばルータ等が該当）を介してネットワークＮＷと接続することで、人体モデル提供装置４０との通信を行う。
【００５０】
ＲＯＭ３０ｄは、ＣＰＵ３０ａの基本的な処理内容を規定したプログラム等を記憶し、ＲＡＭ３０ｅは、ＣＰＵ３０ａの処理に伴う内容、ファイル等を一時的に記憶する。表示入出力インタフェース３０ｆは、接続線３６でタッチスクリーン機能を具備する表示装置３５が接続されるインタフェースであり、表示装置３５の表示スクリーン３５ａに表示させる各種画面に応じた各画面データを出力することに加えて、表示スクリーン３５ａでのタッチによる操作内容の入力を受け付けて、その受け付けた操作内容をＣＰＵ３０ａへ送る処理等も行う。
【００５１】
記憶部３０ｇは、ＨＤＤ（Hard Disc Drive）等により構成される記憶デバイスであり、基本プログラムＰ１、三次元測定プログラムＰ２、組成測定プログラムＰ３、及び測定管理プログラムＰ４といったプログラム、並びに画面データテーブルＴ１、基準値テーブルＴ２等を記憶する。画面データテーブルＴ１は、上述した表示装置３５の表示スクリーン３５ａに表示させる各種画面に応じた各画面データを格納したものであり、ログイン用の初期画面、測定開始の指示を出す画面、測定の終了を示す画面等に応じた画面データを格納する。
【００５２】
また、基準値テーブルＴ２は、測定された筋肉及び脂肪に関するレベルを判定するための数値（基準値）を格納しており、左腕、右腕、左脚、右脚、及び体幹部という計５つの特定部位ごとに、筋肉レベル及び脂肪レベルをそれぞれ判定するための複数の基準値を特定部位ごとに格納する。すなわち、基準値テーブルＴ２は各特定部位に関する筋肉判定用の複数の基準値として、第１〜９基準値という複数の基準用数値を含み、同様に、脂肪判定用の複数の基準値として、第１〜９基準値という複数の基準用数値を含む。なお、第１〜９基準値の数値には「第１基準値＜第２基準値＜第３基準値＜第４基準値＜第５基準値＜第６基準値＜第７基準値＜第８基準値＜第９基準値」という大小関係が成立する。
【００５３】
図４の記憶部３０ｇに記憶される基本プログラムＰ１は、測定処理装置３０を一般的なコンピュータとして機能させるために、ＣＰＵ３０ａが行う基本的な処理を規定したオペレーティングシステムに相当し、上述した外部機器接続部３０ｂを通じた信号等の入出力機能、通信部３０ｃを通じた通信機能、及び表示入出力インタフェース３０ｆを通じた表示機能・操作受付機能等を実現する処理を規定する。
【００５４】
三次元測定プログラムＰ２は、三次元測定器２０から送られてくる測定結果に含まれる数値（検知した複数の頂点のＸＹＺ座標値）を用いて、上述した三角測量の原理を用いた公知の三次元距離計測手法により、被験者Ｈの測定項目（身長、各四肢の長さ等）に係る数値を算出する処理をＣＰＵ３０ａが行うことを規定したものになっている。この三次元測定プログラムＰ２の規定により、例えば、膝下部位（下腿範囲）の周囲長（最大周囲長）が得られる。
【００５５】
組成測定プログラムＰ３は、体組成計１１から送られてくる脂肪又は筋肉に係る測定数値を取得すること、及び特定部位（体幹部、及び四肢）については、測定数値を、上述した基準値テーブルＴ２に格納される基準値と対比することで、測定された筋肉量、及び脂肪量が、計９段階のいずれのレベルに該当するかを判定する処理も規定する。なお、９段階のレベルは、「−４」〜「＋４」の段階で示され、「０」の段階が標準であり、「０」からマイナスの数値が大きくなるにつれて、筋肉量又は脂肪量が少なくなっていくことを表し、また、「０」からプラスの数値が大きくなるにつれて、筋肉量又は脂肪量が多くなっていくことを表す。
【００５６】
測定管理プログラムＰ４は、人体測定装置１０における全般的な処理に関して、ＣＰＵ３０ａが行う各種処理の内容を規定したものである。具体的には、表示装置３５に各種画面を表示する処理、登録ユーザの会員認証に関する処理、ユーザ操作に応じた対応処理、測定結果を人体モデル提供装置４０へ送る処理等をＣＰＵ３０ａに行わせるプログラミング内容を測定管理プログラムＰ４は含んでいる。
【００５７】
図５は、人体モデル提供装置４０の主要な内部構成を示すブロック図である。本実施形態の人体モデル提供装置４０は、一般的なサーバコンピュータ（サーバ装置）で構築したものになっているが、分散処理等を行うことで複数のサーバ装置及びデータベース装置等を組み合わせてシステムを構築することも勿論可能である。人体モデル提供装置４０は、全体的な制御及び各種処理を行うＭＰＵ４０ａに、各種デバイス等を内部接続線４０ｈで接続したものになっており、各種デバイス等には、通信モジュール４０ｂ、ＲＡＭ４０ｃ、ＲＯＭ４０ｄ、入力インタフェース４０ｅ、出力インタフェース４０ｆ、及び記憶部４０ｇ等がある。
【００５８】
通信モジュール４０ｂは、ネットワークＮＷとの接続モジュールに相当する通信デバイスであり、所要の通信機器（図示は省略。例えばルータ等が該当）を介してネットワークＮＷと接続されており、測定処理装置３０及び通信端末７等との通信を可能にする。ＲＡＭ４０ｃは、ＭＰＵ４０ａの処理に伴う内容、ファイル等を一時的に記憶し、ＲＯＭ４０ｄは、ＭＰＵ４０ａの基本的な処理内容を規定したプログラム等を記憶する。入力インタフェース４０ｅは、システム管理者等からの操作指示等を受け付けるキーボード４０ｉ、マウス等が接続されており、出力インタフェース４０ｆは、ディスプレイ４０ｊが接続されており、ＭＰＵ４０ａの処理に伴う内容をディスプレイ４０ｊへ出力し、システム管理者等が現在の処理内容等を確認できるようにしている。
【００５９】
記憶部４０ｇは、データベース、プログラム、及びテーブル等を記憶し、データベースとして会員データベース４１を記憶し、プログラムとしてはサーバプログラムＰ１０、モデル変形プログラムＰ１１を記憶し、テーブルとしては、人体モデルテーブル４５、ポイントテーブルＴ１１、及びモデル数値テーブルＴ１２等を記憶する。
【００６０】
図６は、記憶部４０ｇに記憶される会員データベース４１の中身の一例を示し、ユーザ欄として、ユーザＩＤごとに、会員の氏名、ニックネーム、メールアドレス、及び各日のデータ（体組成計１１及び三次元測定器２０のそれぞれの測定結果を示す数値、測定結果に基づき得られた人体モデルを示すデータ等）が記憶される（なお、会員データベース４１には、その他、性別、パスワード等も記憶される）。会員データベース４１の中身は、登録ユーザの増減に合わせて適宜更新される。
【００６１】
図７は、人体モデルテーブル４５の中身の一部を示し、図７に示すのは男性用の人体モデルの範囲を示し、女性用人体モデルも図示していないが含まれる。人体モデル提供装置４０では、ユーザ（被験者Ｈ）の人体の測定結果に応じた人体モデルを提供するにあたり、一から人体モデルを生成するのではなく、ベースとなる人体モデルを準備しておき、その準備した人体モデルを被験者Ｈの測定結果に応じて適宜、変形等を行うことで、被験者の体格及び体つきに応じた人体モデルを提供する。人体モデルテーブル４５は、予め準備する人体モデルのデータを男女別に格納しており、ログイン中のユーザ（被験者）の性別を会員データテーブル６０から特定し、男女いずれのモデルデータを用いるかをＭＰＵ４０ａが判断する。本実施形態の人体モデルは、骨格モデル、筋肉モデル、及び脂肪モデルを含んで構成することで、解剖的な表示を可能にしている。
【００６２】
人体モデルテーブル４５は、人体モデルを構成する骨格モデル４６、筋肉モデル４７、及び脂肪モデル４８の三種類のモデルを含み、また、モデル毎に、統計的に身長に対する四肢の長さ寸法の比率（袖丈の比率、股下の比率）が標準である標準パターン４５ａ、標準パターン４５ａに対して四肢の寸法（手足の寸法）を約９５％短くした第１パターン４５ｂ、及び標準パターンル４５ａに対して四肢の寸法（手足の寸法）を約１０５％長くした第２パターン４５ｃという計三種類のパターンを含む。
【００６３】
骨格モデル４６は、骨格を示すモデルであり、標準パターン４５ａに応じた標準の骨格モデル４６ａ、第１パターン４５ｂに応じた第１の骨格モデル４６ｂ、及び第２パターン４５ｃに応じた第２の骨格モデル４６ｃを含む。また、筋肉モデル４７も、標準パターン４５ａに応じた標準の筋肉モデル４７ａ、第１パターン４５ｂに応じた第１の筋肉モデル４７ｂ、及び第２パターン４５ｃに応じた第２の筋肉モデル４７ｃを含み、脂肪モデル４８も、標準パターン４５ａに応じた標準の脂肪モデル４８ａ、第１パターン４５ｂに応じた第１の脂肪モデル４８ｂ、及び第２パターン４５ｃに応じた第２の脂肪モデル４８ｃを含む。
【００６４】
これら各骨格モデル４６、筋肉モデル４７、脂肪モデル４８は、人体モデルとしてパターン別に組み合わされる１つのセットになっている。すなわち、標準パターン４５ａとして、標準の骨格モデル４６ａ、筋肉モデル４７ａ、及び脂肪モデル４８ａが一つのセットになっており、以下同様に、第１パターン４５ｂとして、第１の骨格モデル４６ｂ、筋肉モデル４７ｂ、及び脂肪モデル４８ｂが一つのセットになっており、第２パターン４５ｃとして、第２の骨格モデル４６ｃ、筋肉モデル４７ｃ、及び脂肪モデル４８ｃが一つのセットになっている。
【００６５】
また、各骨格モデル４６、筋肉モデル４７、脂肪モデル４８は三次元表示が可能に形成されており、各モデルを回転させる操作（例えば、スワイプ操作）を行うことで、所望の角度から、各モデルを確認できると共に、各モデルの所要部分の拡大又は縮小も所要の操作（例えば、ピンチ装置）で可能になっている。さらに、各骨格モデル４６、筋肉モデル４７、脂肪モデル４８は形状的に変形可能なテクスチャで形成されており、それにより、上述した測定結果に基づき、被験者Ｈの測定結果に応じて適宜、変形等を行うことで、被験者の人体に応じた骨格モデル、筋肉モデル、脂肪モデル等を通信端末７等に提供できる。なお、各骨格モデル７１、筋肉モデル７２、脂肪モデル７３は、それらの体格に応じた数値を有するものとなっており、それらの数値は、変形処理の際に用いられる。
【００６６】
また、記憶部４０ｇに記憶されるモデル数値テーブルＴ１２は、図７に示す人体モデルテーブル４５に格納される標準パターン４５ａ、第１パターン４５ｂ、及び第２パターン４５ｃに応じた各人体モデル（骨格モデル、筋肉モデル、脂肪モデル）の各部に応じた数値を格納する。モデル数値テーブルＴ１２が格納する各数値は、統計的に得られた数値に基づいたパターンごとの平均値であり、平均の身長の数値、股下の数値、及び腕長さの数値等より得られた股下割合（身長に対する足の左右平均長さが占める割合）、袖丈比率（身長に対する腕の左右平均長さが占める割合）等が格納されており、これらの数値は、被験者Ｈに応じたモデルのパターンを各パターン４５ａ〜４５ｃの中から特定する場合、及び特定したパターンのモデルの拡大又は縮小する度合いを特定する場合などに用いられる。
【００６７】
記憶部４０ｇに記憶されるプログラムＰ１の中のサーバプログラムＰ１は、サーバコンピュータ用のオペレーティングシステムに応じた各種処理を規定したものであり、この規定内容に基づいた処理をＭＰＵ４０ａが行うことで、人体モデル提供装置４０は、サーバコンピュータ（サーバ装置）としての各機能を果たす。
【００６８】
また、モデル変形プログラムＰ１１は、会員認証に係る処理、測定結果を保存（格納）する処理、測定結果に応じた骨格モデル等の人体モデルを生成する処理、撮像画像モデルを生成する処理、各部位の最大周囲長となる箇所を示す特定する処理、及び生成した各モデル等を記憶・配信する処理等を、ＭＰＵ４０ａが行うことを規定した内容になっている。
【００６９】
モデル変形プログラムＰ１１の会員認証に係る処理として、測定処理装置３０からユーザＩＤ及びパスワードを含む会員認証に係る問合せ情報を人体モデル提供装置４０（ＭＰＵ４０ａ）が受信すると、受信した問合せ情報に含まれるユーザＩＤ及びパスワードが会員データベース４１に含まれるか否かを判断する。ユーザＩＤ及びパスワードが会員データベース４１に含まれる場合、ＭＰＵ４０ａは、登録の旨の回答を測定処理装置３０へ返信する処理を行い、また、含まれていない場合は、非登録の旨（非会員である旨）の回答を測定処理装置３０へ返信する処理を行う。
【００７０】
モデル変形プログラムＰ１１の測定結果を保存（格納）する処理としては、測定処理装置３０から送られてきたユーザＩＤを含む測定結果（測定結果に係る情報）を受信すると、会員データベース４１の測定データの欄に、その受信した中に含まれるユーザＩＤに対応づけて、測定結果を受信日時（又は測定日時）と共に格納する処理を行う。
【００７１】
モデル変形プログラムＰ１１の測定結果に応じた人体モデルを生成する処理としては、まず、受信した測定結果に基づき、図７の人体モデルテーブル４５の標準パターン４５ａ、手足が短めの第１パターン４５ｂ、手足が長めの第２パターン４５ｃの中からいずれのパターンを用いるかを特定する処理をＭＰＵ４０ａは行う。それから、特定したパターンに応じた人体モデル（一つのセットになった骨格モデル、筋肉モデル及び脂肪モデル）を、被験者Ｈの測定された身長の寸法（体格に係る測定結果）に応じて、相似的に拡大又は縮小する処理をＭＰＵ４０ａは行う。また、相似的に拡大又は縮小してからは、測定結果に合わせて、細部の変形を行うことになる。細部の変形では、上腕、前腕、胴部、臀部、大腿部、下腿等の各部位の太さ、長さ等を判断されたレベル（−４〜＋４）等に応じて調整することになる。
【００７２】
撮像画像モデルを生成する処理として、測定処理装置３０から送られてくる測定結果には、三次元測定の際に三次元測定器２０の走査状況取得部２１ｂ、２２ｂ、２３ｂで撮像して得られたユーザ（被験者Ｈ）の三次元的な撮像画像（人体を前から見た撮像画像、人体を横方向から見た撮像画像、人体を上方向から見下ろした撮像画像、人体を下方向から見上げた撮像画像、人体を後方向から見た撮像画像等）が含まれるており、この撮像画像に基づき、人体モデル提供装置４０（ＭＰＵ４０ａ）は、ユーザ（被験者Ｈ）の三次元的な撮像画像モデルを生成する。このように生成する撮像画像モデルは、三次元測定に基づき得られているので、三次元測定のときと同じ三次元座標系（ＸＹＺ座標値が同じ）を有する。
【００７３】
そして、各部位の最大周囲長となる箇所特定する処理として、人体モデル提供装置４０（ＭＰＵ４０ａ）は、左右腕の上腕、前腕、腹部、左右脚の大腿部、下腿部と云ったそれぞれの部位において、最大周囲長となる箇所を特定する。三次元測定器２０による測定では、人体表面の複数の点（約３万の点）の三次元座標値を取得し、これらの三次元座標値から、上述した各部位（上腕、前腕、腹部、大腿部、下腿部）における最大周囲長を測定処理装置３０で算出するようになっており、そのため、得られた各部位の最大周囲長には、その箇所に応じた人体表面の三次元座標値が対応付けられている。そのため、人体モデル提供装置４０（ＭＰＵ４０ａ）は、測定処理装置３０から送られてくる測定結果に含まれる各部位の最大周囲長に対応付けられた三次元座標値から、最大周囲長の位置を特定する。
【００７４】
なお、本発明では、パッドの装着箇所を決めるために、最大周囲長の位置を特定するので、特定する位置となる人体箇所は、パッドの装着対象となる筋肉又は脂肪が皮膚表面近くに存在する部位を特定するようにしている。例えば、下腿範囲において最大周囲長の位置を特定する場合は、皮膚から骨が感じられるような脛側を特定するのではなく、皮膚と骨の間に筋肉又は脂肪が存在する側（背中側）となる「ふくらはぎ」の部位において、筋肉又は脂肪の厚みが最大となる最大周囲長の位置をピンポイント的に特定することになる。
【００７５】
また、特定した最大周囲長の位置は、実際のユーザの人体においても分かるようにするため、人体の端部から、特定した最大周囲長の位置までの距離も人体モデル提供装置４０（ＭＰＵ４０ａ）は求めるようにしている。左右の上腕及び前腕における最大周囲長の位置は、人体の端部として、左右の腕の指先（人差し指の指先）からの距離を、人体モデル提供装置４０（ＭＰＵ４０ａ）は、各三次元座標値に基づき求める。また、腹部、左右の大腿部、下腿部における最大周囲長の位置は、人体の端部として、左右の足の指先（足裏の踵と同じ高さの位置）からの距離を、人体モデル提供装置４０（ＭＰＵ４０ａ）は、各三次元座標値に基づき求める。
【００７６】
そして、上述した特定した最大周囲長の位置、及び求めた最大周囲長の位置までの距離は、生成した撮像画像モデルにおいて反映できるように、人体モデル提供装置４０（ＭＰＵ４０ａ）は作図処理を行う。生成した撮像画像モデルは、三次元測定のときと同じ座標系になっていることから、特定した最大周囲長の位置の座標値を、そのまま撮像画像モデルにおいても用いることができるので、人体モデル提供装置４０（ＭＰＵ４０ａ）は、撮像画像モデルにおいて、最大周囲長の位置の座標値に、赤色などの色の付いたマーク（印）を付す作図データを生成し、また、人体の端部（腕の指先、又は足の指先）から、マークまでの距離の値を示す数値及び補助線等も作図する。
【００７７】
モデル変形プログラムＰ１１の及び生成した各モデル等を記憶・配信する処理としては、上述した処理で作成した骨格モデル、脂肪モデル、筋肉モデル、撮像画像モデル、及び最大周囲長の箇所を示す作図データ等を、対象となるユーザのユーザＩＤに対応づけて、会員データベース４１（図６参照）の測定データ欄に測定日と共に格納する処理を、人体モデル提供装置４０（ＭＰＵ４０ａ）は行う。そして、ログイン中のユーザから、各モデル等の要求を受信すると、ログイン中のユーザのユーザＩＤに対応づけられた測定データ（各モデルデータ等を含む）を、人体モデル提供装置４０（ＭＰＵ４０ａ）は会員データベース４１から読み出して、要求元の装置（通信端末７、測定処理装置３０等）へ送信する。
【００７８】
上述したモデル変形プログラムＰ１１に基づく人体モデル提供装置４０（ＭＰＵ４０ａ）の処理は、ユーザが三次元測定を受けるごとに行われる。図１のフローチャートのＳ３の段階で、パッドの装着箇所を特定するためには、一度、三次元測定を行って、最大周囲長の箇所を特定できれば、それ以降の施術では、毎回、三次元測定を行わなくても、すでに特定できている箇所にパッドを装着すればよいので、図１のフローチャートにおけるＳ１及びＳ２の処理は、２回目以降は省略可能である。しかし、本発明の人体性術方法による体の引き締め状況を、脂肪レベル、筋肉レベルで確認することをユーザが希望する場合は、上述したように本実施形態の三次元測定は、測定に合わせて脂肪モデル、筋肉モデルを生成してユーザに提供できるので、このようなユーザに対しては、引き締め状況の確認を希望するときに合わせて、三次元測定を行うことが好適となる。
【００７９】
図８（ａ）（ｂ）は、上述した人体モデル提供装置４０（ＭＰＵ４０ａ）により得られた撮像画像モデルＧの画像を通信端末７の表示スクリーン７ａに表示した状態を示しており、図８（ａ）は正面から見た状態の撮像画像モデルＧを示し、図８（ｂ）は横方向から見た状態の撮像画像モデルＧを示す。このような撮像画像モデルＧは、ユーザが通信端末７を用いて、人体モデル提供装置４０へログインして、ユーザ自身の測定結果等を要求することで、人体モデル提供システム４から送られてくる測定結果等を通信端末７で受信することにより、表示スクリーン７ａに表示されることになる。
【００８０】
なお、通信端末７には、人体モデル提供装置４０から送られる測定結果等に含まれる各モデルのデータに基づき人体モデル（骨格モデル、脂肪モデル、筋肉モデル）及び撮像画像モデルＧ、並びに各種測定結果の数値等を表示するためのアプリケーションプログラム（アプリ）を予めインストールしておくことになる。
【００８１】
また、図８（ａ）は、撮像画像モデルＧを通信端末３に表示した直後の状態であり、表示直後では、正面から見た状態が表示スクリーン７ａに表示される。図８（ｂ）は、図８（ａ）の状態から、スワイプ操作を行うことで撮像画像モデルＧを横方向から見た状態にすると共に、アプリにおいて所定の操作（図示しないメニュー操作）を行うことで、下腿範囲の最大周囲長となる箇所のマークＭ１を表示すると共に、足の指（足裏のかかと）からの距離Ｌを表示した状態を示す。なお、距離Ｌとしては、実際には数値（例えば、３０ｃｍ等）が表示される。このような図８（ｂ）に示す撮像画像モデルＧの表示内容は、図１のフローチャートのＳ３の段階で利用されるものであり、ユーザ又は施術スタッフは、図８（ｂ）の表示内容を見て、パッドを装着する箇所を把握することになる。
【００８２】
図９は、本発明で用いる脚についての各部位の名称を示したものである。本発明では、胴体より下方の脚全体を「下肢」と称し、膝より上方を「大腿部」と称し、膝より下方を「膝下部位」と称す。また、膝より下方で足首より上方の範囲を「下腿範囲」と称し、この「下腿範囲」には「ふくらはぎ」が含まれ、この「ふくらはぎ」に「下腿範囲」の最大周囲長の箇所が位置することになる。また、足首より下方を「足」と称し、「足」は、足裏と甲（足の表）を含む。
【００８３】
図１０は、図１のフローチャートのＳ５の段階で、人体にＥＭＳ施術（電気的筋肉刺激施術）を行うＥＭＳ装置（Electric Muscle Stimulation装置）の概要を示すブロック図である。本実施形態で用いるＥＭＳ装置は、上述した特許文献２で用いられる装置と同等のものであり、装置本体２ａから接続線Ｃ１、Ｃ２・・・Ｃｘを延出し、これら接続線Ｃ１、Ｃ２・・・Ｃｘによって装置本体２ａとパッド３ａ、３ｂ・・・３ｘを接続する。装置本体２ａは、筋肉への刺激信号を、接続線Ｃ１、Ｃ２・・・Ｃｘを介してパッド３ａ、３ｂ・・・３ｘへ出力し、低周波刺激信号から高周波刺激信号を適宜、刺激信号として出力する。なお、図１０では図示しないが、装置本体２ａには操作部が設けられており、出力する刺激信号の出力レベルをパッドごとに調整できると共に、刺激時間の出力時間等も設定できる（刺激時間の出力時間が、ＥＭＳ施術の施術時間に相当する）。
【００８４】
パッド３ａ〜３ｘは、本発明の電気式の施術体に相当する複数の電極パッドであり、人体へ装着しやすいように、柔軟な円形の素材で形成されている。パッド３ａ〜３ｘを人体へ装着する際は、人体への装着箇所に導電性のジェルを塗布し、その塗布した箇所へ密着するように装着する。また、装着状態を維持するためには、パッドの上からバンド等の部材を人体の装着箇所に巻き付けるようにしているが、特許文献２のＥＭＳ機器のように、真空吸引機能を装置本体２ａに設けて、真空吸引により３ａ〜３ｘを人体へ装着してもよい。なお、図１のフローチャートのＳ３の段階では、図８（ｂ）に示すマークＭ１の箇所（最大周囲長の箇所）を参照して、人体の部位（例えば下腿範囲におけるふくらはぎの部位）において特定し（例えば、図８（ｂ）に示す足裏の踵からＬｃｍの箇所）、その特定した箇所へパッドを装着することになるが、円形のパッドの中心が特定した箇所と一致するように装着する。
【００８５】
図１１、１２は、本発明の人体施術方法で用いる椅子４と、足温め装置５０を示している。図１１、１２は、一度に二人を施術できる仕様として、ベンチ型の椅子４と、二つの足温め装置５０をセットにしたものを示すが、勿論、一人用の椅子と一つの足温め装置５０をセットにした仕様にしてもよい。椅子４は、ユーザ（人体）が腰掛けてＥＭＳ施術を行えるようにするためのものであり、ユーザが腰掛ける座部４ａの座面が地面から約４０〜６０ｃｍの範囲内の高さとなるように脚部４ｂを設けており、一人用の椅子の場合は、座面高さを調整できるようにすることが好適である。なお、車椅子を利用しているユーザで、足のリハビリ等に本発明を使う場合は、車椅子を、本発明の椅子として用いることも可能であり、この場合は、車椅子のまま、足温め装置５０の内部に足を入れるようにする。
【００８６】
図１３にも示すように、足温め装置５０は、ボックス状の容器５１により外観を構成しており、内部には、容器５１の底部を構成する底板部５１ｅの上に熱源部材５３を配置している。ボックス状の容器５１は、上面に開閉可能な蓋５１ｆを設けて、蓋５１ｆを開けた状態で容器５１の内部に足を入れられるようにすると共に、蓋５１ｆには扇状の切り欠きを形成して、足を入れた状態でも、蓋５１ｆを閉じることができるようにしている。なお、足温め装置５１は、熱源部材５３の温度を調整するためのコントローラ５８を、容器５１ａの一方の側壁５１ａの外面に取り付けており、コントローラ５８は温度調整ダイヤルを有し、この温度調整ダイヤルを操作することで、熱源部材５３の温度を調整する。
【００８７】
容器５１は、底部の熱源部材５３の上に足裏を載せた状態で、膝より下のふくらはぎが少なくとも容器５１の内部に入るぐらいの深さＤを確保する大きさにしており、容器５１の外観の高さとしては、約４０〜５５ｃｍ程度の範囲内の高さ寸法にしている。また、椅子４と足温め装置５０との間の距離Ｈ（椅子の座部４ａの足温め装置５０側の前端４ｃから足温め装置５０の背面側壁５１ｂまでの距離。図１２参照）は、足温め装置５０に足を入れた状態でも、ユーザがリラックスできる姿勢を保てる寸法にしており、具体的には、距離Ｈが約０〜１５ｃｍ程度の寸法となるように、足温め装置５０の傍（横、側方）に椅子４を配置する。
【００８８】
図１３に示すように、足温め装置５０の容器５１は、底板部５１ｅ、正面側壁５１ｃ、背面側壁５１ｂ、及び側壁５１ａ、及び蓋５１ｆ等によって内部を空洞にしたボックス状の構成であり、容器５１の材質としては、本実施形態では木材を用いるが、一定の耐熱性・保温性を確保できれば他の材質を用いることも可能である。また、底板部５１ｅには薄板状の保温材５２（本実施形態ではアルミ材）を介して、熱源部材５３を載置している。なお、このような保温材５２は、保温性を高めるため、容器５１の周囲を構成する側壁（正面側壁５１ｃ、背面側壁５１ｂ、及び側壁５１ａ等）にも設けてもよい。
【００８９】
本実施形態の熱源部材５３は、積層的な構造になっており、最も下方には、パネル状の電熱ヒータ５４を設け、その上にラジウム放射能を放射するボール状又は石状の固有体５５を複数設け、さらに、その上に、固有体５５より寸法が大きい玄武岩５６を複数設けている。
【００９０】
電熱ヒータ５４は、コントローラ５８と接続されており、商用電源と接続されたコントローラ５８によって、電熱ヒータ５４の発熱温度を調整可能にしている（０〜１００℃の範囲）。この電熱ヒータ５４の発熱により、複数の固有体５５及び玄武岩５６は熱せられて温度が上昇する。電熱ヒータ５４による温めの程度としては、各固有体５５の温度が７０〜９０℃の範囲（ラドンを効率良く発生する温度範囲に相当）、各玄武岩５６が４０〜５０℃の範囲の温度となるように、電熱ヒータ５４の温度設定をコントローラ５８で行う。なお、図１のフローチャートのＳ５の段階で、ＥＭＳ施術を行う際に、固有体５５及び玄武岩５６が上述した温度範囲の温度に到達しているように、事前に電熱ヒータ５４の発熱を行って、固有体５５及び玄武岩５６を温めておくことになる。
【００９１】
図１４（ａ）は、固有体５５を示し、本実施形態の固有体５５は、温められるとラジウム放射能を放射する特性（ラドンを発生する特性）を有するボール状又は石状の物体である。固有体の寸法としては、本実施形態の固有体５５は、図１４（ａ）に示す経寸法ｄ１が２ｃｍ〜６ｃｍ程度のものを用いるようにしており、保温性の維持、及びラドンの発生状況などのバランスを考慮すると、３ｃｍ〜５ｃｍ、特に４ｃｍ前後に経寸法ｄ１を設定することが好適である。このようなラドンを発生する特性を有する固有体５５は、温泉成分に含まれる鉱物成分（例えば、湯の花など）を精製して固形化することで形成できる。なお、本発明における経寸法とは、外形において最も寸法が大きくなる方向における長さ寸法を意味する。
【００９２】
図１４（ｂ）は、玄武岩５６を示し、玄武岩５６は温めた状態でホットストーンとして、人体のマッサージ等に利用されており、本実施形態でも、上述したように４０〜５０℃に温めている。これは通常の湯を用いた足湯の温度と同等の温度であることから、図１のフローチャートのＳ５のＥＭＳ施術の段階で、ユーザは、ホットストーンの上に足裏を載せることで、湯を用いた足湯と同等の心地よい状態が得られる。また、本実施形態の玄武岩５６は、表面が研磨された経寸法ｄ２が６ｃｍより大きいものを用いており、それにより、固有体５５より大きい寸法を確保して、玄武岩５６が固有体５５と混ざり合わないようにして、図１３に示す積層状態を維持するようにしている。
【００９３】
図１に示すフローチャートにＳ４の段階で、パッドを下腿範囲に装着した膝下部位を足温め装置５０の容器５１の内部に入れて、Ｓ５の段階で、足温め装置５０で膝下部位を温めながらＥＭＳ施術を行うことになる（約２０〜３０分）。ＥＭＳ施術の段階は、図１３に示すように、足温め装置５０の内部に入れた膝下部位は、熱源部材５３を構成する玄武岩５６の上に足裏を載せると共に、足の甲より上方となる範囲は、熱源部材５３に触れることなく、足温め装置５０の容器５１の内部の空気Ｋで覆われた状態になっている。なお、保温性を高めるには、図１３に示す様に、人体の大腿部及び足温め装置５０の上部を覆うようなカバー布５９（膝掛け用のブランケットや掛け布等）を掛けることが好適である（カバー布５９で、蓋５１ｆの切欠箇所と大腿部等との隙間を防ぐようにする）。
【００９４】
図１３に示すように、ＥＭＳ施術に用いるパッド３ａは、足温め装置５０の内部に入っても、熱源部材５３と触れることが無いので、熱源部材５３との接触による直接的な熱の影響を受けずに済み、支障の無い作動環境を確保してＥＭＳ施術を行える。また、足温め装置５０に入れた足（膝下部位）は、ラジウム放射能を放射する固形体５５により体の芯からポカポカと温かくなると共に、ホットストーンとして機能する玄武岩５６に足裏が触れることで、足裏を通じて人体に熱が伝達されており、このような二種類の伝熱系統により、足裏下方にのみ熱源部材５３を配置した構成の足温め装置５０であっても、適度に人体を温めることができる。
【００９５】
そして、上記のように足を温めながらＥＭＳ施術を行うことにより、ユーザ自体は何ら動いていなくても、足温め装置５０による温めにより、人体は有酸素運動を行ったときと同様の状況になり、また、パッドによるＥＭＳ施術で筋力トレーニングを行った状況が得られる。しかも、パッドは、ピンポイントで最大周囲長の箇所に装着されていることから、効率的に最大周囲長の箇所の引き締めを行うことでき、本発明は、従来のものに比べて優れた引き締め効果を発揮する。
【００９６】
図１５は、図１のフローチャートのＳ６における指圧又はストレッチの段階で用いる体幹施術装置６０を示す。本実施形態の体幹施術装置６０は、ベッド型の装置であり、ベッドフレーム６１の底部６１ａに施術ローラ部６２を移動可能に設けている。施術ローラ部６２は、ベッドの長手方向（図１５の左右方向）に沿って移動可能であると共に、ベッドの高さ方向（図１５の上下方向）にも所定範囲で上昇移動可能になっている。なお、施術ローラ部６２のローラは稼働中、温かくなっており、温かくなったローラで指圧を行っている。
【００９７】
そして、施術ローラ部６２は、ベッドの長手方向に沿って移動することで、ベッドフレーム６１に寝た状態のユーザ（人体）の背中を指圧し、ベッドの長手方向の移動範囲は、人体の首下から臀部までの体幹部の範囲となるので、体幹施術装置６０は、体幹部を背中から指圧することになる。さらに、施術ローラ部６２は、ベッドの高さ方向で上昇移動すると、その箇所の人体部は押し上げられて牽引状態（ストレッチ状態）が得られる。このような体幹施術装置６０の施術ローラ部６２の施術は、図１のフローチャートに示すように、Ｓ５の段階（温めながらのＥＭＳ施術）の後のＳ６の段階で行われるので、人体全身が、ほどよく温まった状態になっており、このような状態で、体幹施術装置６０により指圧又はストレッチを行うことで、通常の温まっていない状態で行う場合に比べて、より良好な施術を行える。
【００９８】
以上のように本発明に係る人体施術方法及び人体施術システム１を説明したが、本発明は上述した実施形態に限定されるものではなく、様々な変形例が想定できる。例えば、上述した説明では、パッド３ａ等の装着は、足温め装置５０の内部に入れる下腿範囲の場合で説明したが、足温め装置５０の内部に入れない人体の他の部位にパッドを装着して、図１のフローチャートのＳ５の段階で、足温め装置５０の内部に入れていない他の部位も、同時的にＥＭＳ施術を行うことも勿論可能である。足温め装置５０の内部に入れていない箇所では、上述した熱源部材５３と同等の温め効果は期待できないが、足が温まることで、足以外の人体箇所も通常の場合に比べて、連鎖的に体温が上昇するので、足温め装置５０の内部に入れていない箇所におけるＥＭＳ施術は、何も温めないでＥＭＳ施術を行う場合に比べると、良好な施術を行える環境になっている。なお、このような足温め装置５０の内部に入れていない箇所においても、ＥＭＳ施術用のパッドを装着する箇所は、上腕、前腕、腹部、大腿部において、上述した三次元測定で最大周囲長の位置を対象にして、良好な引き締め効果を期待できるようにする。
【００９９】
また、本発明の仕様を簡易化する場合は、図１のフローチャートにおけるＳ１の段階の三次元測定、Ｓ６の段階の指圧又はストレッチを省略することも可能であり、この場合は、図２に示す人体施術システム１から、三次元人体測定システム５、体幹施術装置６０を省略することになる。三次元人体測定システム５を省略した場合は、巻き尺等を用いて、スタッフが、施術を受けるユーザの下腿範囲を複数箇所測定し（ふくらはぎを中心に測定）、測定した中で最長となった箇所にパッドを装着することになる（図１のＳ２の段階の処理に相当）。なお、パッドを装着する箇所は、最大周囲長の位置に応じた箇所に限定されるものではなく、下肢範囲内のいずれかの箇所（例えば、ユーザが希望する箇所など）に装着してＥＭＳ施術を行うことも勿論可能である。また、Ｓ６の段階の指圧又はストレッチは、図１５に示す体幹施術装置６０を用いるのではなく、スタッフが人力で、施術を受けるユーザに指圧又はストレッチを行うようにしてもよい。
【０１００】
さらに、足温め装置５０の内部構造も図１３に示すものに限定されず様々な仕様が考えられる。例えば、ラジウム放射能を放射する固有体５５は、ボール状又は石状に形成するのではなく、パネル状に形成したものを適用してもよい。このようにパネル状の固有体を用いて、電熱ヒータ５４に載置すれば、ボール状又は石状のものに比べて、電熱ヒータ５４との接触面積が増えることから、固有体を温めやすくなり、それに伴いラジウム放射能をスムーズに放射できるメリットが生じると共に、上層に積み重ねた玄武岩５６の状態も安定するというメリットが生じる。
【０１０１】
また、上述した説明では、電熱パネル５４のコントローラ５８を適宜、操作設定することで、各固有体５５が７０〜９０℃の範囲の温度になり、各玄武岩５６が４０〜５０℃の範囲の温度となるようにしたが、自動で温度設定が確保できる仕様にしてもよい。この場合は、玄武岩５６が位置する箇所に第１の温度センサを設けると共に、固有体５５の位置する箇所に第２の温度センサを設け、これら温度センサの検知結果をコントローラに入力し、コントローラでは温度を自動制御する制御部を設け、各温度センサで検出された温度が基準範囲の温度より下がれば電熱パネル５４を加熱するように制御し、各温度センサで検出された温度が基準範囲の温度より上がれば、電熱パネル５４の発熱具合を下げるように制御することになる。なお、上記の基準範囲の温度は、第１の温度センサについては、上述した玄武岩５６の場合と同様に４０〜５０℃の範囲を用い、第２の温度センサについては、上述した固有体５５の場合と同様に７０〜９０℃の範囲を用いることになる。
【０１０２】
また、玄武岩５６は、図１３に示す状態では一段で積み重ねているが、ラドン発生を重視して各固有体５５の温度を高めに設定し、それに伴い、玄武岩５６の温度が高くなりすぎる場合は、二段又は三段以上で、固有体５５の上に積み重ねるようにしてもよい。また、固有体５５の上に積み重ねるものは、玄武岩に限定されるものではなく、他の種類の岩又は石を用いることも勿論可能であり、例えば、那智石等を用いることが可能である。このような固有体５５の上に積み重ねる岩又は石としては、表面を滑らかにしたもの以外に、表面がザラザラなもの、表面に凹凸があるものなどを用いて、施術を受けるユーザが、ＥＭＳ施術中、足裏に適度な刺激を受けるようにしてもよい。
【０１０３】
また、ＥＭＳ施術に用いるＥＭＳ装置は、図１０に示す構成のものに限定されるものではなく、例えば、電池駆動で、ＥＭＳ制御部とパッドが一体になったタイプのものを用いることも可能である。また、図１のＳ５の段階の施術は、ＥＭＳの施術に限定されるものではなく、電気駆動の振動パッド（施術体に相当）を用いた振動による施術を適用することも可能である。このような振動パッドは、上述した特許文献１に示す振動発生部を有する振動パッドを用い、このような振動パッドを、特定した箇所にベルト等を巻回して装着することになる。
【０１０４】
さらに上述した実施形態では、足温め装置５０により足を温めながら施術（ＥＭＳ施術）を行うようにしたが、足温め装置５０と同様な温め装置を用いて、同時に手も温めながら施術を行うようにしてもよい。この場合は、図１１に示す椅子４の傍に机を設置し、机の下には、図１１に示す足温め装置５０を配置し、机の上には、手を温めるための温め装置を配置する。手を温めるための温め装置は、基本的に足温め装置５０と同様の構成であるが、手を装置内に入れる方向は、装置の上部からではなく、装置の側方からが好適なので、装置上部を閉鎖すると共に、装置周囲の４つの側壁の中の一つを、図１１〜１３に示す足温め装置５０の上面と同様に、一部を切り欠いた開閉式の蓋を設けた構成にして、その蓋のある方向から装置内部に手を入れることになる。
【０１０５】
このように手及び足を同時に温めると、人体の両手両脚の末端から中央に向かって温めることになり、人体全身の温め具合を一段と向上できる。そして、手を温める場合において、肘より手先側が温め装置の内部に入れられるようにすれば、上腕の最大周囲長の箇所にもＥＭＳ施術用のパッドを装着し、上腕についてもＥＭＳ施術を行えば、上腕についても、上述した足の場合と同様に、好適なＥＭＳ施術を実施できる。なお、手を温めることだけが必要な場合は、手を温めるための温め装置だけを用いて、足温め装置は省略した仕様にしてもよい。
【産業上の利用可能性】
【０１０６】
本発明は、ユーザが何ら動かなくても、足温め装置による有酸素運動を行ったときと同様の状況を確保しながら、ＥＭＳ施術により筋力トレーニングを行ったときと同様の状況を確保できるので、自ら運動を希望しないユーザ、又は怪我や病気などで自ら運動を行いにくいユーザ等に対して好適に利用可能である。
【符号の説明】
【０１０７】
１  人体施術システム
２  ＥＭＳ装置（電気的筋肉刺激装置）
３ａ、３ｂ・・・３ｘ  パッド
４  椅子
５  三次元人体測定システム
７  通信端末
１１  体組成計
２０  三次元測定器
３０  測定処理装置
４０  人体モデル提供装置
５０  足温め装置
５１  容器
５３  熱源部材
５４  電熱ヒータ
５５  固有体
５６  玄武岩
６０  体幹施術装置
【図１】
2019043824.tif 000003
【図２】
2019043824.tif 000004
【図３】
2019043824.tif 000005
【図４】
2019043824.tif 000006
【図５】
2019043824.tif 000007
【図６】
2019043824.tif 000008
【図７】
2019043824.tif 000009
【図８】
2019043824.tif 000010
【図９】
2019043824.tif 000011
【図１０】
2019043824.tif 000012
【図１１】
2019043824.tif 000013
【図１２】
2019043824.tif 000014
【図１３】
2019043824.tif 000015
【図１４】
2019043824.tif 000016
【図１５】
2019043824.tif 000017
【国際調査報告】
2019043824.tif 000018
2019043824.tif 000019
2019043824.tif 000020
2019043824.tif 000021